(57)【要約】【課題】ＯＰＧＷを接続箱の導入口に挿入するときに、光ファイバユニットの破損を防止する光ファイバ保護具を提供する。【解決手段】光ファイバ保護具１は、接続箱の導入口１０２に取り付けられ、ＯＰＧＷの端部から露出された光ファイバユニットを保護する器具であり、導入口１０２に挿入されて取り付けられて導入口１０２の端縁を覆い、ＯＰＧＷの端部が挿入されるときに光ファイバユニットをガイドして保護する取付部２と、取付部２の一端側に設けられて筐体１０１内に配置され、ＯＰＧＷの端部が挿入された後に、光ファイバユニットから押圧されると弾性変形して光ファイバユニットを支持する支持部３とを備えている。【選択図】  図２
2019037059.tif 000002
【特許請求の範囲】
【請求項１】
ＯＰＧＷに内蔵された複数の光ファイバユニットの複数の光ファイバ心線の端部同士を接続するための接続箱に利用され、前記ＯＰＧＷの端部から露出された前記光ファイバユニットを前記接続箱へ挿入する際に保護する光ファイバ保護具であって、
前記接続箱に設けられた前記光ファイバユニットの導入口に挿入され、前記導入口の端縁を覆う筒状の取付部と、
前記取付部の一端部側に設けられて前記接続箱内に配置され、前記取付部の他端部から挿入されて前記一端部から引き出された前記光ファイバユニットを、前記光ファイバユニットの押圧により弾性変形して支持する筒状の支持部と、
を備えたことを特徴とする光ファイバ保護具。
【請求項２】
前記支持部は、表面が被覆されたコイルバネからなる、
ことを特徴とする請求項１に記載の光ファイバ保護具。
【請求項３】
前記取付部は、前記ＯＰＧＷの端部に取り付けられたコネクタが前記導入口に挿入されることにより前記接続箱内に押し込まれ、前記他端部に前記コネクタが挿入されて前記接続箱内で保持される、
ことを特徴とする請求項１または２のいずれか１項に記載の光ファイバ保護具。
【請求項４】
前記取付部の他端部側には、前記光ファイバユニットの挿入中に前記取付部が前記接続箱内に移動するのを防止するフランジ部が設けられ、前記フランジ部の前記導入口に対する面はテーパー状になっている、
ことを特徴とする請求項３に記載の光ファイバ保護具。
【請求項５】
ＯＰＧＷに内蔵された複数の光ファイバユニットの複数の光ファイバ心線の端部同士を接続するための接続箱であって、
前記接続箱に設けられた前記光ファイバユニットの導入口に挿入され、前記導入口の端縁を覆う筒状の取付部と、前記取付部の一端部側に設けられて前記接続箱内に配置され、前記取付部の他端部から挿入されて前記一端部から引き出された前記光ファイバユニットを、前記光ファイバユニットの押圧により弾性変形して支持する筒状の支持部と、を備え、前記ＯＰＧＷの端部から露出された前記光ファイバユニットを前記接続箱へ挿入する際に保護する光ファイバ保護具が設けられている、
ことを特徴とする接続箱。
【発明の詳細な説明】
【技術分野】
【０００１】
この発明は、光ファイバ複合架空地線（ＯＰｔｉｃａｌ  Ｇｒｏｕｎｄ  Ｗｉｒｅ：ＯＰＧＷ）を架設するために使用される光ファイバ保護具及び接続箱に関する。
【背景技術】
【０００２】
ＯＰＧＷは、架設された送電線を雷遮蔽するための架空地線に、複数の光ファイバ心線がより合わされて形成されている光ファイバユニットが複数本内蔵されているものであり、送電線鉄塔の頂部に架設されている。このようなＯＰＧＷは、例えば、３本または６本の光ファイバ心線がより合わされてフッ素樹脂等により被覆されて形成されている光ファイバユニットが、複数本束ねられてアルミパイプ等により被覆されて内蔵されている。ＯＰＧＷには、例えば光ファイバ心線が１２本のものや２４本のものがある。
【０００３】
図７は、従来例である、送電線を架設するための鉄塔ＴにＯＰＧＷ２００及び送電線３００が架設されている例を示す概略図である。図７に示すように、発電所や変電所等から電力を送電するための送電線３００を落雷から遮蔽するため、送電線３００より高い位置にＯＰＧＷ２００が架設されている。
【０００４】
図８は、図７のＯＰＧＷ２００を架設するために使用される接続箱１００の例を示す図であり、正面図（ａ）、及び底面図（ｂ）である。この接続箱１００は、図７に示すような鉄塔Ｔに設けられ、ＯＰＧＷ２００の端部同士を接続するための装置であり、主として筐体１０１と、導入口１０２と、ユニットホルダ１０３と、トレー１０４とを備えている。筐体１０１は、接続されたＯＰＧＷ２００を保護するための箱である。導入口１０２は、ＯＰＧＷ２００を接続するために接続箱１００に挿入するための孔であり、筐体１０１の底部にＯＰＧＷ２００の断面形状に合わせて、例えば略円形の孔が設けられている。ユニットホルダ１０３及びトレー１０４は、ＯＰＧＷ２００の光ファイバユニットが接続されたケーブルの余長部分を収納するためのものである。
【０００５】
図９は、図８の導入口１０２にＯＰＧＷ２００の端部２０１が挿入される状態の例を示す概略図である。この端部２０１は把持金具２０２が設けられている。把持金具２０２の先端側にはコネクタ２０３が設けられ、その先端には、ＯＰＧＷ２００から被覆が剥がされてアルミパイプ２０４と、光ファイバユニット２０５とが露出された状態で設けられている。把持金具２０２は、端部２０１が導入口１０２に挿入されたときに接続箱１００に固定するための箇所である。コネクタ２０３は、導入口１０２に挿入されて固定される箇所である。アルミパイプ２０４は、前述のように、光ファイバユニット２０５が複数本束ねられた状態で被覆されるものであり、端部２０１では、例えば約２ｃｍ程度露出された状態にされる。光ファイバユニット２０５は、フッ素樹脂等により被覆されて形成されている光ファイバ心線の束であり、端部２０１では、例えば約４ｍ程度露出された状態にされる。
【０００６】
ＯＰＧＷ２００の端部２０１は、図９に示すように光ファイバユニット２０５が露出されて束ねられた状態で、図９に示す矢印Ａ方向に移動して導入口１０２に挿入され、接続箱１００に接続される。このとき、光ファイバユニット２０５は衝撃に弱い材質であるため、筐体１０１に接触して光ファイバユニット２０５が破損しないように導入口１０２に挿入する必要がある。この作業は、図７に示すように、鉄塔Ｔの頂部のような高所で行われるため、強風が吹くこともあり、非常に困難な作業である。そのため、光ファイバユニット２０５が破損するおそれがあり、その場合において、接続箱１００の設置位置を変更することが不可能な場合、ＯＰＧＷ２００を架設し直す必要があり、多大な手間がかかってしまう。
【０００７】
そのため、例えば、ＯＰＧＷの光ファイバユニットと伝送装置とを接続する情報コンセントでは、本体底面にＯＰＧＷの光ファイバユニットを挿入する導入孔が設けられ、この導入孔を覆うためのゴム製の円筒状キャップが知られている（例えば、特許文献１参照。）。
【先行技術文献】
【特許文献】
【０００８】
【特許文献１】特開２０００−０９８１４１号公報
【発明の概要】
【発明が解決しようとする課題】
【０００９】
しかしながら、特許文献１に記載の円筒状キャップは、光ファイバユニットを保護するものではなく、このようなキャップを接続箱の導入口に取り付けても、光ファイバユニットの破損を防止することは出来なかった。
【００１０】
そこでこの発明は、ＯＰＧＷの端部に露出されている光ファイバユニットが接続箱の導入口に挿入されるときに、光ファイバユニットの破損を防止する光ファイバ保護具及び接続箱を提供することを目的とする。
【課題を解決するための手段】
【００１１】
上記課題を解決するために、請求項１の発明は、ＯＰＧＷに内蔵された複数の光ファイバユニットの複数の光ファイバ心線の端部同士を接続するための接続箱に利用され、前記ＯＰＧＷの端部から露出された前記光ファイバユニットを前記接続箱へ挿入する際に保護する光ファイバ保護具であって、前記接続箱に設けられた前記光ファイバユニットの導入口に挿入され、前記導入口の端縁を覆う筒状の取付部と、前記取付部の一端部側に設けられて前記接続箱内に配置され、前記取付部の他端部から挿入されて前記一端部から引き出された前記光ファイバユニットを、前記光ファイバユニットの押圧により弾性変形して支持する筒状の支持部と、を備えたことを特徴とする。
【００１２】
この発明では、筒状の取付部が、接続箱に設けられた導入口に挿入されて導入口の端縁を覆う。また、取付部の一端部側に設けられた筒状の支持部が、光ファイバユニットの押圧により弾性変形して、光ファイバユニットを支持する。
【００１３】
請求項２の発明は、請求項１に記載の光ファイバ保護具において、前記支持部は、表面が被覆されたコイルバネからなる、ことを特徴とする。
【００１４】
請求項３の発明は、請求項１または２のいずれか１項に記載の光ファイバ保護具において、前記取付部は、前記ＯＰＧＷの端部に取り付けられたコネクタが前記導入口に挿入されることにより前記接続箱内に押し込まれ、前記他端部に前記コネクタが挿入されて前記接続箱内で保持される、ことを特徴とする。
【００１５】
請求項４の発明は、請求項３に記載の光ファイバ保護具において、前記取付部の他端部側には、前記光ファイバユニットの挿入中に前記取付部が前記接続箱内に移動するのを防止するフランジ部が設けられ、前記フランジ部の前記導入口に対する面はテーパー状になっている、ことを特徴とする。
【００１６】
請求項５の発明は、ＯＰＧＷに内蔵された複数の光ファイバユニットの複数の光ファイバ心線の端部同士を接続するための接続箱であって、前記接続箱に設けられた前記光ファイバユニットの導入口に挿入され、前記導入口の端縁を覆う筒状の取付部と、前記取付部の一端部側に設けられて前記接続箱内に配置され、前記取付部の他端部から挿入されて前記一端部から引き出された前記光ファイバユニットを、前記光ファイバユニットの押圧により弾性変形して支持する筒状の支持部と、を備え、前記ＯＰＧＷの端部から露出された前記光ファイバユニットを前記接続箱へ挿入する際に保護する光ファイバ保護具が設けられている、ことを特徴とする。
【発明の効果】
【００１７】
請求項１及び５の発明によれば、接続箱に設けられた導入口に挿入されて導入口の端縁を覆う取付部が、筒状に設けられているため、光ファイバユニットが接続箱の導入口へ挿入される際、接続箱に接触して光ファイバユニットが破損することを防止できる。また、取付部の一端部側には、筒状の支持部が設けられているため、光ファイバユニットが接続箱の導入口へ挿入された後でも、光ファイバユニットの押圧により弾性変形することで光ファイバユニットを支持するので、光ファイバユニットやこれを被覆するアルミパイプの破損を防止することが可能である。
【００１８】
請求項２の発明によれば、支持部は、表面が被覆されたコイルバネから構成されているため、光ファイバユニットの押圧によりコイルバネが弾性変形して光ファイバユニットを支持するので、光ファイバユニットが接続箱の導入口へ挿入された後において、光ファイバユニットやこれを被覆するアルミパイプの破損を防止することができる。
【００１９】
請求項３の発明によれば、取付部は、ＯＰＧＷの端部に取り付けられたコネクタが導入口に挿入されることにより接続箱内に押し込まれ、この状態で接続箱内に保持されるので、光ファイバユニットが接続箱の導入口へ挿入された後において、光ファイバユニットやこれを被覆するアルミパイプの破損を防止することができる。
【００２０】
請求項４の発明によれば、取付部の他端部側には、光ファイバユニットの挿入中に取付部が接続箱内に移動するのを防止するフランジ部が設けられ、このフランジ部の導入口に対する面はテーパー状になっているので、取付部が接続箱内に押し込まれるときに、取付部を容易に接続箱の内側方向に押し込むことができる。
【図面の簡単な説明】
【００２１】
【図１】この発明の実施の形態１に係る光ファイバ保護具１を示す図であり、斜視図（ａ）、及び断面図（ｂ）である。
【図２】図１の光ファイバ保護具１が図９の導入口１０２に取り付けられた状態を示す断面図である。
【図３】図２の挿入口２４にＯＰＧＷ２００の端部２０１が挿入される状態の例を示す概略図である。
【図４】図２の挿入口２４にＯＰＧＷ２００の端部２０１が挿入された後の状態の例を示す概略図である。
【図５】この発明の実施の形態２に係る光ファイバ保護具１Ａを示す断面図である。
【図６】この発明の実施の形態３に係る光ファイバ保護具１Ｂを示す断面図である。
【図７】従来例である、送電線を架設するための鉄塔ＴにＯＰＧＷ２００及び送電線３００が架設されている例を示す概略図である。
【図８】図７のＯＰＧＷ２００を架設するために使用される接続箱１００の例を示す図であり、正面図（ａ）、及び底面図（ｂ）である。
【図９】図８の導入口１０２にＯＰＧＷ２００の端部２０１が挿入される状態の例を示す概略図である。
【発明を実施するための形態】
【００２２】
以下、この発明を図示の実施の形態に基づいて説明する。
【００２３】
（実施の形態１）
図１ないし図４は、この発明の実施の形態１に係る光ファイバ保護具１を示し、図１は、光ファイバ保護具１を示す斜視図（ａ）、及び断面図（ｂ）である。また、図２は、図１の光ファイバ保護具１が図９の導入口１０２に取り付けられた状態を示す断面図である。この光ファイバ保護具１は、図８に示す接続箱１００の導入口１０２に取り付けられ、図９に示すＯＰＧＷ２００の光ファイバユニット２０５を保護する器具であり、主として取付部２と、支持部３とを備えている。
【００２４】
取付部２は、導入口１０２に挿入されて取り付けられ、ＯＰＧＷ２００の端部２０１が挿入されるときに光ファイバユニット２０５をガイドして保護する箇所であり、例えばゴム等の弾性を有する樹脂により、例えば断面略円形の筒状に形成されている。この取付部２は、主として下部フランジ２１と、嵌合部２２と、上部フランジ２３と、挿入部２４と、係止部２５とを備えている。
【００２５】
下部フランジ２１、嵌合部２２、及び上部フランジ２３は、導入口１０２の端縁を覆う箇所であり、図２に示すように、嵌合部２２の上下から筐体１０１に沿って突出するように、図１（ａ）に示す下部フランジ２１及び上部フランジ２３が取付部２の全周にわたって設けられ、下部フランジ２１と上部フランジ２３との間で導入口１０２の端縁を挟持して嵌合部２２に嵌合するように形成されている。挿入部２４は、ＯＰＧＷ２００の端部２０１が挿入される箇所であり、図１（ｂ）に示すように筒状に形成された取付部２の孔である。係止部２５は、後述するコイルバネにより構成されている支持部３の端部が係止される箇所である。
【００２６】
この取付部２は、下部フランジ２１、嵌合部２２、及び上部フランジ２３により、導入口１０２を嵌合して簡単に外れないように弾性を有するゴム等の樹脂により形成されている。また、この取付部２は筒状の一部品として形成されているが、これは、例えば複数部品により分割可能に構成すると、接続箇所に段差や隙間が生じ、ＯＰＧＷ２００の端部２０１が挿入されるときに光ファイバユニット２０５がその段差や隙間に引っ掛かり、光ファイバユニット２０５が破損してしまうことを防止するためである。そのため、挿入部２４の入口部分は面取り加工され、表面は光ファイバユニット２０５が滑りやすくなるように滑らかに形成されている。また、光ファイバユニット２０５が束ねられた状態で出口側（支持部３）に抜けやすくするために、挿入部２４は出口側に向けて孔径がわずかに小さくなるようにテーパー状になっている。
【００２７】
また、取付部２は、後述するようにＯＰＧＷ２００のコネクタ２０３が挿入部２４に挿入されると、筐体１０１内に押し込まれる。これは、既存の接続箱１００及びＯＰＧＷ２００を使用可能にし、ＯＰＧＷ２００のアルミパイプ２０４を保護するためであり、そのため、筐体１０１内に押し込み可能な強度の弾性を有するゴム等の樹脂により形成されている。また、この状態でＯＰＧＷ２００のアルミパイプ２０４を保護するため、取付部２の高さは、アルミパイプ２０４の高さ（例えば、３ｃｍ）より高くなるように形成されている。
【００２８】
支持部３は、取付部２の一端側に設けられて筐体１０１内に配置され、ＯＰＧＷ２００の端部２０１が挿入部２４から挿入された後に、光ファイバユニット２０５を支持する箇所であり、表面がフッ素樹脂等により被覆されている金属製のコイルバネにより構成されてその端部が係止部２５に係止され、光ファイバユニット２０５から押圧されると弾性変形して光ファイバユニット２０５を支持する箇所である。
【００２９】
この支持部３は、端部２０１が挿入部２４から挿入されると、取付部２が筐体１０１内に押し込まれ、光ファイバユニット２０５が他方のＯＰＧＷ２００の端部２０１に接続され、ＯＰＧＷ２００は図８に示すユニットホルダ１０３及びトレー１０４に巻かれて収納されるが、そのときに端部２０１が傾斜して光ファイバユニット２０５から押圧されると、弾性変形してアルミパイプ２０４や光ファイバユニット２０５が破損しないように保護するために設けられている。そのため、支持部３は、光ファイバユニット２０５の折損強度よりも小さい力で弾性変形する材質及び太さに形成されている。また、端部２０１が挿入部２４から挿入されたときに、光ファイバユニット２０５が引っ掛かることがないように、支持部３は端部２０１の挿入方向に向かって広がるようにラッパ状に形成されている。
【００３０】
次に、このような光ファイバ保護具１の使用方法及び作用等について、以下に説明する。
【００３１】
この光ファイバ保護具１は、図２に示すように、下部フランジ２１と上部フランジ２３との間に導入口１０２の端縁が挟持されて嵌合部２２に嵌合するように取り付けられている。
【００３２】
図３は、図２の挿入口２４にＯＰＧＷ２００の端部２０１が挿入される状態の例を示す概略図である。ＯＰＧＷ２００の端部２０１は、図３に示すように光ファイバユニット２０５が露出されて束ねられた状態で、図３に示す矢印Ａ方向に移動して挿入口２４に挿入される。このとき、挿入部２４の入口部分は面取り加工され、取付部２が筒状の一部品として形成されて挿入部２４の表面が滑らかに形成されているため、光ファイバユニット２０５は挿入部２４の入口部分及び内部で引っ掛かることなく、挿入部２４内を滑るように移動する。
【００３３】
そして、光ファイバユニット２０５は支持部３内に移動するが、支持部３が端部２０１の挿入方向に向かって広がるようにラッパ状に形成されているため、光ファイバユニット２０５が引っ掛かることなく筐体１０１内に挿入される。
【００３４】
図４は、図２の挿入口２４にＯＰＧＷ２００の端部２０１が挿入された後の状態の例を示す概略図である。ＯＰＧＷ２００のコネクタ２０３が挿入部２４に挿入されると、取付部２は、ＯＰＧＷ２００の把持金具２０２により押圧されて図４に示す矢印Ｂ方向に移動し、筐体１０１内に押し込まれる。この状態で、取付部２はＯＰＧＷ２００のアルミパイプ２０４を保護する。その後、光ファイバユニット２０５は、他方のＯＰＧＷ２００の端部２０１に接続され、ＯＰＧＷ２００は図８に示すユニットホルダ１０３及びトレー１０４に巻かれて収納される。このとき、端部２０１が傾斜して光ファイバユニット２０５から押圧されると、支持部３は弾性変形してアルミパイプ２０４や光ファイバユニット２０５が破損しないように保護する。
【００３５】
このように、この光ファイバ保護具１及びこれを取り付けた接続箱１００によれば、筒状に形成された取付部２にＯＰＧＷ２００の端部２０１が挿入される挿入口２４を備え、光ファイバユニット２０５が露出されて束ねられた状態で挿入口２４に挿入される。この取付部２は、筒状の一部品として形成されており、挿入部２４の入口部分は面取り加工され、挿入部２４の表面が滑らかに形成されている。そのため、光ファイバユニット２０５は挿入部２４の入口部分及び内部で引っ掛かることなく、挿入部２４内を滑るように移動する。これにより、接続箱１００の筐体１０１に接触して光ファイバユニット２０５が破損することを防止できる。
【００３６】
また、ＯＰＧＷ２００のコネクタ２０３が挿入部２４に挿入されると、取付部２が筐体１０１内に押し込まれ、取付部２はＯＰＧＷ２００のアルミパイプ２０４を保護する。そして、光ファイバユニット２０５が他方のＯＰＧＷ２００の端部２０１に接続され、ＯＰＧＷ２００がユニットホルダ１０３及びトレー１０４に巻かれて収納されると、支持部３が端部２０１が傾斜して光ファイバユニット２０５から押圧され、支持部３が弾性変形してアルミパイプ２０４や光ファイバユニット２０５が破損しないように保護する。これにより、光ファイバユニット２０５が筐体１０１内へ挿入された後でも、光ファイバユニット２０５の押圧により支持部３が弾性変形することで光ファイバユニット２０５を支持するので、光ファイバユニット２０５やこれを被覆するアルミパイプ２０４の破損を防止することが可能である。
【００３７】
（実施の形態２）
図５は、この発明の実施の形態２に係る光ファイバ保護具１Ａを示す断面図である。この光ファイバ保護具１Ａは、図８に示す接続箱１００の導入口１０２に取り付けられ、図９に示すＯＰＧＷ２００の光ファイバユニット２０５を保護する器具である点において、実施の形態１に係る光ファイバ保護具１と同様であるが、取付部２に代えて取付部２Ａを備えている点において、実施の形態１に係る光ファイバ保護具１と異なる。取付部２Ａは、下部フランジ２１に代えて下部フランジ２１Ａを備えており、下部フランジ２１Ａは、図５に示すように、テーパー部２６を備えている。このテーパー部２６は、ＯＰＧＷ２００のコネクタ２０３が挿入部２４に挿入され、取付部２Ａが筐体１０１内に押し込まれるときに、取付部２Ａが押し込まれやすいように、下部フランジ２１Ａの導入口１０２に対する面がテーパー状に形成されている箇所である。その他の構成、使用方法及び作用については、実施の形態１に係る光ファイバ保護具１と同様である。
【００３８】
このように、この光ファイバ保護具１Ａによれば、下部フランジ２１Ａの導入口１０２に対する面がテーパー状に形成されてテーパー部２６が設けられているので、取付部２Ａを筐体１０１内に容易に押し込むことが可能である。
【００３９】
（実施の形態３）
図６は、この発明の実施の形態３に係る光ファイバ保護具１Ｂを示す断面図である。この光ファイバ保護具１Ｂは、図８に示す接続箱１００の導入口１０２に取り付けられ、図９に示すＯＰＧＷ２００の光ファイバユニット２０５を保護する器具である点において、実施の形態１に係る光ファイバ保護具１と同様であるが、取付部２及び支持部３に代えて、取付部２Ｂ及び支持部３Ｂを備えている点において、実施の形態１に係る光ファイバ保護具１と異なる。取付部２Ｂは、係止部２５を備えておらず、上部フランジ２３の上端から上方向に延設されて取付部２Ｂと一体に支持部３Ｂが設けられている。
【００４０】
支持部３Ｂは、ＯＰＧＷ２００の端部２０１が挿入部２４から挿入された後に、光ファイバユニット２０５を支持する箇所である点において支持部３と同様であり、端部２０１の挿入方向に向かって広がるようにラッパ状に、取付部２Ｂと同様の弾性を有するゴム等の樹脂により形成されている。また、支持部３Ｂの内側表面は、ＯＰＧＷ２００の端部２０１が挿入されるときに光ファイバユニット２０５が引っ掛かることなく滑りやすくなるようにするため、挿入部２４の表面と同様に滑らかに形成されている。
【００４１】
このように、この光ファイバ保護具１Ｂによれば、上部フランジ２３の上端から上方向に延設されて取付部２Ｂと一体に支持部３Ｂが設けられたことにより、光ファイバユニット２０５は支持部３Ｂ内で引っ掛かることなく滑るように移動する。これにより、光ファイバユニット２０５が破損することを防止できる。
【００４２】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態１ないし３では、光ファイバ保護具１，１Ａ，１Ｂは接続箱１００の導入口１０２に取り付けられているが、導入口１０２に固定されるように設けても良い。これにより、ＯＰＧＷ２００の接続作業を行う際に光ファイバ保護具を取り付ける手間が省けるので、より容易にＯＰＧＷ２００の接続作業を行うことが可能である。
【符号の説明】
【００４３】
１，１Ａ，１Ｂ                          光ファイバ保護具
２，２Ａ，２Ｂ                          取付部
３，３Ｂ                                支持部
２１，２１Ａ                            下部フランジ
２２                                    嵌合部
２３                                    上部フランジ
２４                                    挿入部
２５                                    係止部
２６                                    テーパー部
１００                                  接続箱
１０１                                  筐体
１０２                                  導入口
１０３                                  ユニットホルダ
１０４                                  トレー
２００                                  ＯＰＧＷ（光ファイバ複合架空地線）
２０１                                  端部
２０２                                  把持金具
２０３                                  コネクタ
２０４                                  アルミパイプ
２０５                                  光ファイバユニット
３００                                  送電線
【図１】
2019037059.tif 000003
【図２】
2019037059.tif 000004
【図３】
2019037059.tif 000005
【図４】
2019037059.tif 000006
【図５】
2019037059.tif 000007
【図６】
2019037059.tif 000008
【図７】
2019037059.tif 000009
【図８】
2019037059.tif 000010
【図９】
2019037059.tif 000011